(57)【要約】【課題】パソコンやスマートフォン等の電子機器類の盗難を防止するために、それら電子機器類のメス型ＵＳＢコネクタに挿着して用いられる自鳴式盗難防止タグを提供する。【解決手段】自鳴式盗難防止タグ１１は、メス型ＵＳＢコネクタに挿着するオス型ＵＳＢコネクタ１２と、オス型ＵＳＢコネクタから延出した一対のコード１３の端部にそれぞれ設けられる係合端子１４とを備える挿着部１５と、係合端子が挿抜可能な挿抜口１６を備える本体部１７とからなり、本体部は、警報音を発する警報部と、オス型ＵＳＢコネクタのメス型ＵＳＢコネクタへの挿抜状態に応じて警報部を制御する制御部とを有する。【選択図】図１
0003215675.tif 000002
【実用新案登録請求の範囲】
【請求項１】
パソコンやスマートフォン等の電子機器類のメス型ＵＳＢコネクタに挿着して用いられる自鳴式盗難防止タグであって、
該自鳴式盗難防止タグは、
前記メス型ＵＳＢコネクタに挿着するオス型ＵＳＢコネクタと、該オス型ＵＳＢコネクタから延出した一対のコードの端部にそれぞれ設けられる係合端子とを備える挿着部と、
前記係合端子が挿抜可能な挿抜口を備える本体部とからなり、
該本体部は、警報音を発する警報部と、
前記オス型ＵＳＢコネクタの前記メス型ＵＳＢコネクタへの挿抜状態に応じて前記警報部を制御する制御部と、を少なくとも有すること
を特徴とする自鳴式盗難防止タグ。
【請求項２】
前記挿抜口の側部には、前記係合端子の引抜きを解除する解除ボタンが設けられていること
を特徴とする請求項１に記載の自鳴式盗難防止タグ。
【請求項３】
前記本体部は、店舗の出入口に設けられたゲートから発する電波を受信し、あるいは、リモコンから発する電波を受信するためのアンテナ部を備えること
を特徴とする請求項１に記載の自鳴式盗難防止タグ。
【考案の詳細な説明】
【技術分野】
【０００１】
本考案は、パソコンやスマートフォン等の電子機器類の盗難を防止するために、それら電子機器類のメス型ＵＳＢコネクタに挿着して用いられる自鳴式盗難防止タグに関するものである。
【背景技術】
【０００２】
従来、商品の販売店等では、商品の盗難を防止するために、各商品に自鳴式盗難防止装置が取り付けられて使用されている。
【０００３】
この自鳴式盗難防止装置は、陳列される商品に貼り付けたり、ラップで巻き付けたりすることによって商品に固定される。そして、自鳴式盗難防止装置が取り付けられたままの状態で、商品が店舗の出入口に設けられたゲートを通過しようとすると、自鳴式盗難防止装置がゲートからの電波を受信して、内蔵したブザーを鳴らして店員に報知し、盗難を未然に防止する仕組みである（特許文献１参照）。
【０００４】
また、この自鳴式盗難防止装置には、不正に商品から取り外されたことを検知するための検出スイッチが設けられており、商品から取り外されたことを検出スイッチが検出した場合にも、ブザーを鳴らして店員に知らせる仕組みである。
【０００５】
一方、盗難を防止するための商品が、店頭に陳列される複数台のパソコンやスマートフォン等の電子機器類である場合には、集中センサを用いるタイプの盗難防止装置が使用されている。
【０００６】
この盗難防止装置は、集中センサから延出した複数本のコードの先端に設けたオス型ＵＳＢコネクタを、各電子機器類のメス型ＵＳＢコネクタに挿着してセットしておき、オス型ＵＳＢコネクタを不正に取り外すと、集中センサに内蔵したブザーを鳴らして店員に知らせる仕組みである。
【先行技術文献】
【特許文献】
【０００７】
【特許文献１】特開２００２−８１５２１号公報
【考案の概要】
【考案が解決しようとする課題】
【０００８】
この従来例の自鳴式盗難防止装置においては、商品にラップで巻き付けたり、あるいは商品に貼り付けたりする必要があるので、それらの作業に手間が掛かってが効率が悪いという問題点を有している。
また、商品にラップを巻き付けるので、商品の見た目が乱雑で見栄えが悪いという問題点も有している。
【０００９】
集中センサを用いる盗難防止装置の場合は、複数本のコードを陳列台に這わして、各電子機器類にそれぞれ接続するので、陳列台がごちゃごちゃした感じになり、乱雑で見栄えが悪いという問題点を有している。
また、コードの長さの関係で、接続できる電子機器類の位置的な範囲に制約があるという問題点も有している。
【００１０】
従って、従来例における場合においては、自鳴式盗難防止装置を商品にラップで巻き付ける等の作業を簡略化して作業能率を向上させることと、商品の見栄えを良好にすること、陳列台のごちゃごちゃ感を解消すること、接続する電子機器類の位置的な範囲の制約を解消することとに解決しなければならない課題を有している。
【課題を解決するための手段】
【００１１】
前記従来例の課題を解決するための本考案の要旨は、パソコンやスマートフォン等の電子機器類のメス型ＵＳＢコネクタに挿着して用いられる自鳴式盗難防止タグであって、該自鳴式盗難防止タグは、前記メス型ＵＳＢコネクタに挿着するオス型ＵＳＢコネクタと、該オス型ＵＳＢコネクタから延出した一対のコードの端部にそれぞれ設けられる係合端子とを備える挿着部と、前記係合端子が挿抜可能な挿抜口を備える本体部とからなり、該本体部は、警報音を発する警報部と、前記オス型ＵＳＢコネクタの前記メス型ＵＳＢコネクタへの挿抜状態に応じて前記警報部を制御する制御部と、を少なくとも有することである。
【００１２】
また、前記挿抜口の側部には、前記係合端子の引抜きを解除する解除ボタンが設けられていること、；
前記本体部は、店舗の出入口に設けられたゲートから発する電波を受信し、あるいは、リモコンから発する電波を受信するためのアンテナ部を備えること、；
を含むものである。
【考案の効果】
【００１３】
本考案に係る自鳴式盗難防止タグによれば、パソコンやスマートフォン等の電子機器類のメス型ＵＳＢコネクタに挿着して用いられるので、従来のように商品にラップで巻き付けたり、商品に貼り付けたりする必要がなく、作業効率が大幅に向上する。さらには、ラップを巻き付けたりしないので商品の見た目が綺麗で見栄えが良好である。
また、従来のように多数のコードを陳列台に這わさないので、陳列台のごちゃごちゃ感が解消されて見栄えが良好である。さらには、接続する電子機器類の位置的な範囲の制約がないという種々の優れた効果を奏する。
【００１４】
挿抜口の側部には、係合端子の引抜きを解除する解除ボタンが設けられていることによって、使用者の意に反して係合端子が挿抜口から脱落することがないという優れた効果を奏する。
【００１５】
本体部は、店舗の出入口に設けられたゲートから発する電波を受信し、あるいは、リモコンから発する電波を受信するためのアンテナ部を備えることによって、ゲートを通過するとその電波を受信して、発報して店員に報知する。また、リモコンの操作で警報音を停止できる仕組みであるという種々の優れた効果を奏する。
【図面の簡単な説明】
【００１６】
【図１】本考案に係る自鳴式盗難防止タグ１１の正面図である。
【図２】挿着部１５の正面図である。
【図３】本体部１７の正面図である。
【図４】自鳴式盗難防止タグ１１の構成、電子機器類２４、ゲート２２、リモコン２３の概略な関係を示す説明図である。
【考案を実施するための形態】
【００１７】
次に、本考案の実施の形態について図面を参照しながら説明する。まず、図１において、符号１１は自鳴式盗難防止タグを示し、この自鳴式盗難防止タグ１１は、オス型ＵＳＢコネクタ１２とこのオス型ＵＳＢコネクタ１２から延出した一対のコード１３の端部にそれぞれ設けられる係合端子１４とを備える挿着部１５（図２参照）と、係合端子１４が挿抜可能な挿抜口１６を備える本体部１７（図３参照）とから構成される。
【００１８】
自鳴式盗難防止タグ１１は、例えば、パソコン、スマートフォン、タブレット等の電子機器類２４のメス型ＵＳＢコネクタ１８（図４参照）に対して、オス型ＵＳＢコネクタ１２を挿着して用い、オス型ＵＳＢコネクタ１２を不正に取り外すと、警報部２０（図４参照）の警報音を鳴らして店員に知らせる仕組みである。
つまり、電子機器類２４のメス型ＵＳＢコネクタ１８に、オス型ＵＳＢコネクタ１２を挿着すると通電し、このオス型ＵＳＢコネクタ１２をを無理矢理引き抜くと警報音を鳴らすのである。
【００１９】
また、挿抜口１６の側部には、係合端子１４の引抜きを解除する解除ボタン２５が設けられている。解除ボタン２５の存在によって、使用者等の意に反して係合端子１４が挿抜口１６から脱落することがない。
【００２０】
図４に示すように、自鳴式盗難防止タグ１１は、内部の回路によってオス型ＵＳＢコネクタ１２と接続され、このオス型ＵＳＢコネクタ１２のメス型ＵＳＢコネクタ１８への挿抜状態に応じた処理を行う制御部１９を備えている。
【００２１】
制御部１９は、警報音を発する警報部２０及びアンテナ２１と接続され、オス型ＵＳＢコネクタ１２の挿抜状態に応じて警報部２０を制御して警報音を鳴らしたり、アンテナ２１から信号を受信した際に警報音を鳴らしたり、あるいは警報音を停止したりする制御を行う。
【００２２】
アンテナ２１は、店舗に設置されたゲート２２、及びリモコン２３からの信号を受信することができる。
【００２３】
ゲート２２は、店舗の出入口付近に設置され、常時信号を発信しており、自鳴式盗難防止タグ１１がゲート２２付近を通過すると、アンテナ２１がその信号を受信して、警報部２０が警報を発する。
【００２４】
リモコン２３は、店員のみが使用できるもので、リモコン２３の操作で警報音を停止できる仕組みである。
【００２５】
以上のように構成される自鳴式盗難防止タグ１１は、パソコンやスマートフォン等の電子機器類２４に内蔵されるメス型ＵＳＢコネクタ１８に挿着して使用される。したがって、従来のように盗難防止タグを商品にラップで巻き付けたり、商品に貼り付けたりする必要がなく、作業効率が大幅に向上する。さらには、ラップを使用しないので商品の見た目が綺麗で見栄えが良好となる。
【００２６】
また、従来のように多数のコードを陳列台に這わさないので、陳列台のごちゃごちゃ感が解消されて見栄えが良好である。さらには、接続する電子機器類の位置的な範囲の制約がなく、使用場所に制限がない。
【産業上の利用可能性】
【００２７】
本考案の自鳴式盗難防止タグは、パソコン等の電子機器類のメス型ＵＳＢコネクタに対してオス型ＵＳＢコネクタを挿着して使用するものであるが、これらのＵＳＢコネクタは、狭義の意味のＵＳＢコネクタに限定されるものではなく、電気的に接続できるメス型の接続端子及びオス型の接続端子を全て含むものである。
【符号の説明】
【００２８】
１１  自鳴式盗難防止タグ
１２  オス型ＵＳＢコネクタ
１３  コード
１４  係合端子
１５  挿着部
１６  挿抜口
１７  本体部
１８  メス型ＵＳＢコネクタ
１９  制御部
２０  警報部
２１  アンテナ
２２  ゲート
２３  リモコン
２４  電子機器類
２５  解除ボタン
【図１】
0003215675.tif 000003
【図２】
0003215675.tif 000004
【図３】
0003215675.tif 000005
【図４】
0003215675.tif 000006